(57)【要約】【課題】フォークが回転可能な回転式フォークリフトを用いてコンテナからの収容物の排出作業を簡単に行えるようにする。【解決手段】コンテナ１０は、コンテナ本体１２と、このコンテナ１２の下面に取り付けられたフォーク挿入部１６とを備える。フォーク挿入部１６は例えば長方形断面を有する角型筒状の部材であり、２つのフォーク挿入部１６がコンテナ１０の前後方向に延びるように互いに平行に取り付けられる。このフォーク挿入部１６に、回転式フォークリフトのフォークを挿入し、フォークを上昇させてコンテナ１０を持ち上げた後、フォークを回転させてコンテナ１０を傾斜させることにより収容物を排出する。【選択図】      図１
2004299686.tif 000002
【特許請求の範囲】
【請求項１】
上面が開放された箱型のコンテナ本体の下側に、フォークリフトのフォークを挿入するためのフォーク挿入部を設けたことを特徴とするコンテナ。
【請求項２】
前記フォーク挿入部は、断面が長方形の角型管状部材を前記コンテナ本体の下面に取り付けることにより構成され、前記角型管状部材の両端部は斜め下向きに切りとられた形状を有することを特徴とする請求項１記載のコンテナ。
【請求項３】
請求項１または２記載のコンテナからその収容物を排出する方法であって、前記フォーク挿入部に、上下動および回転が可能なフォークを備えるフォークリフトの前記フォークを挿入し、前記フォークを上昇させて前記コンテナ本体を持ち上げた後、前記フォークを回転させて前記コンテナを傾斜させることにより前記コンテナの収容物を排出することを特徴とするコンテナの収容物排出方法。
【発明の詳細な説明】
【０００１】
【発明の属する技術分野】
本発明はコンテナに係り、特に、フォークが回転する回転式フォークリフトを用いて収容物を排出するうえで好適なコンテナに関する。また、本発明はこのコンテナから収容物を排出させる方法にも関する。
【０００２】
【従来の技術】
建築工事現場等では、工事に伴って発生した廃材等の廃棄物をいったんコンテナに収容し、廃棄物がある程度たまったら、廃棄物処理業者に引き取りを依頼することが一般的である。なお、コンテナに関する従来技術としては、例えば特許文献１に開示されるように、折り畳み可能に構成されたコンテナがある。
【０００３】
【特許文献１】
実開平４−１３５４８２号公報
【０００４】
【発明が解決しようとする課題】
廃棄物処理業者が廃棄物を引き取る際には、コンテナから廃棄物処理業者のトラックへ廃棄物を積み替えなければならない。しかし、建築工事現場で発生する廃棄物は、鉄屑やコンクリート屑など重量物が多いため、廃棄物を収容するコンテナも非常に重くなる。そのため、コンテナからの廃棄物の積み替え作業は、例えばクレーンを用いて行わねばならないなど、作業が非常に大掛かりとなってしまう。
【０００５】
本発明は上記の点に鑑みてなされたものであり、フォークが回転可能なフォークリフトを用いてコンテナからの収容物の排出作業を簡単に行えるようにすることを目的とする。
【０００６】
【課題を解決するための手段】
上記の目的を達成するため、請求項１に記載された発明に係るコンテナは、上面が開放された箱型のコンテナ本体の下側に、フォークリフトのフォークを挿入するためのフォーク挿入部を設けたことを特徴とする。
【０００７】
本発明によれば、コンテナのフォーク挿入部に、回転式フォークリフトのフォークを挿入してコンテナを持ち上げ、フォークを回転させるだけの簡単な作業でコンテナを傾斜させてその収容物を排出することができる。
【０００８】
また、請求項２に記載された発明は、請求項１記載のコンテナにおいて、前記フォーク挿入部は、断面が長方形の角型管状部材を前記コンテナ本体の下面に取り付けることにより構成され、前記角型管状部材の両端部は斜め下向きに切りとられた形状を有することを特徴とする。このようにすれば、コンテナを積み重ねた際に、フォーク挿入部の端部が下段のコンテナに干渉するのを防止できる。
【０００９】
また、請求項３に記載された発明は、請求項１または２記載のコンテナからその収容物を排出する方法であって、前記フォーク挿入部に、上下動および回転が可能なフォークを備えるフォークリフトの前記フォークを挿入し、前記フォークを上昇させて前記コンテナ本体を持ち上げた後、前記フォークを回転させて前記コンテナを傾斜させることにより前記コンテナの収容物を排出することを特徴とする。
【００１０】
【発明の実施の形態】
図１は、本発明の一実施形態であるコンテナ１０の正面図であり、図２は、コンテナ１０の側面図である。これらの図面に示すように、コンテナ１０は、箱型のコンテナ本体１２と、コンテナ本体１２の下面に取り付けられた車輪１４と、同じくコンテナ本体１２の下面に取り付けられたフォーク挿入部１６とを備えている。コンテナ本体１２の４つの側壁および底面は例えば格子状の金網等により構成され、また、上面は開放されている。コンテナ１０の使用時には、コンテナ本体１２の内壁面および底面に沿って例えば合板等の板材が設置される。
【００１１】
フォーク挿入部１６は、図１に示されるように、長方形の断面を有する角型筒状の鋼製部材で構成されている。このフォーク挿入部１６が２本、コンテナ本体１２の前後方向（図１の紙面に垂直な方向）に互いに平行に延びるように、コンテナ本体１２の下面に例えばボルトにより取り付けられている。なお、２本のフォーク挿入部１６の間隔は、使用するフォークリフトのフォークの寸法に合わせて設定される。また、図２に示されるように、フォーク挿入部１６は、その両端部が斜部１６ａで斜め下向きに切り取られて、側面形状が細長い台形状となるように構成されている。
【００１２】
コンテナ本体１２の底面の図１における左右両辺には、夫々、保持具１８が取り付けられている。保持具１８は複数のコンテナ１０を安定に積み重ねられるようにするための部材である。図３は、コンテナ１０を積み重ねた状態を示す正面図であり、図４はこの状態の側面図である。また、図５は、図３のＡ部拡大図である。保持具１８は下向きに開いた凹部１８ａを備えており、図５に示すように、下段のコンテナ１０の側面の壁の頂部が保持具１８の凹部１８ａに係合することで、コンテナ１０を安定に保持できる。その際、上記の通りフォーク挿入部１６の両端部が斜部１６ａで斜め下向きに切り取られた形状とされていることにより、図４に示すように、フォーク挿入部１６の端部が下段のコンテナ本体１２の前面および背面の壁の頂部と干渉することなく、その内部に収まるようになっている。
【００１３】
図６〜図８は、例えば建設工事現場において、回転式フォークリフト３０を用いて、コンテナ１０に収容された廃棄物等を廃棄物処理業者のトラックの荷台４０へ排出する様子を示す。回転式フォークリフト３０は、フォーク３２が上下動のみならず、その長手方向を軸にして回転できるように構成されている。先ず、図６に示すように、回転式フォークリフト３０のフォーク３２をコンテナ１０のフォーク挿入部１６に挿入し、フォーク３２を上昇させることによりコンテナ１０を持ち上げる。次に、図７〜図８に示すようにフォーク３２を回転させることによりコンテナ１０を傾斜させ、その収容物をトラック荷台４０へ排出する。
【００１４】
このように、本実施形態のコンテナ１０によれば、底部に設けられたフォーク挿入部１６に回転式フォークリフト３０のフォーク３２を挿入することにより、回転式フォークリフト３０を操作するだけの作業でコンテナ１０の収容物を排出することができる。このため、コンテナ１０に建設現場で発生した廃棄物が収容される場合のように、コンテナ１０全体が重くなっても、収容物の排出を簡単に行うことができる。
【００１５】
【発明の効果】
本発明によれば、回転式フォークリフトを用いてコンテナからの収容物の排出を簡単な作業で行うことができる。
【図面の簡単な説明】
【図１】本発明の一実施形態であるコンテナの正面図である。
【図２】本実施形態のコンテナの側面図である。
【図３】本実施形態のコンテナが積み重ねられた状態を示す正面図である。
【図４】本実施形態のコンテナが積み重ねられた状態を示す側面図である。
【図５】上下のコンテナの係合部を示す拡大図である。
【図６】回転式フォークリフトを用いてコンテナの収容物を排出する様子を示す図（その１）である。
【図７】回転式フォークリフトを用いてコンテナの収容物を排出する様子を示す図（その２）である。
【図８】回転式フォークリフトを用いてコンテナの収容物を排出する様子を示す図（その３）である。
【符号の説明】
１０  コンテナ
１２  コンテナ本体
１６  フォーク挿入部
１６ａ  斜部
３０  回転式フォークリフト
３２  フォーク
【図１】
2004299686.tif 000003
【図２】
2004299686.tif 000004
【図３】
2004299686.tif 000005
【図４】
2004299686.tif 000006
【図５】
2004299686.tif 000007
【図６】
2004299686.tif 000008
【図７】
2004299686.tif 000009
【図８】
2004299686.tif 000010